(57)【要約】【課題】  内部に収容する菓子等の物品を見栄え良く形成した物品保持部材を構成する部材に載置したまま容易に取り出しそのまま見栄え良く提供できるようにするとともに、輸送中や運搬中に物品の形態を崩すことなく商品価値を保持することができるようにする。【解決手段】  塊状の菓子５０をその内部に保持するトレイ１０と、前記トレイ１０に載置した物品の周囲及び上方を覆い、下方に前記保持部材の平面投影形状より大きい開口縁部２１を形成した透明なカバー２０と、トレイ１０を保持する保持凹部３２と該保持凹部の外側に形成され上記蓋部材の開口部に係合する係合縁部３１とを備えたベース３０とを備え、前記カバー２０の内側には、包装容器１００を組み立てた状態でトレイ１０の周壁フランジ部１３に接触もしくは近接して、前記トレイ１０の移動を抑制する水平連結部２４を備えるものとした。【選択図】        図１
0003108182.tif 000002
【実用新案登録請求の範囲】
【請求項１】
底壁部及び底壁部の周囲から上方に向け立ち上がる周壁部を備え塊状の物品をその内部に保持する物品保持部材と、
前記保持部材に載置した物品の周囲及び上方を被い、下方に前記保持部材の平面投影形状より大きい開口部を形成した蓋部材と、
前記物品保持部材を保持する保持凹部と、該保持凹部の外側に形成され上記蓋部材の開口部に係合する係合部とを備えた本体部材とを備え、
前記蓋部材の内側には、前記本体部材の保持凹部に嵌め込まれた前記蓋部材の開口を前記底部材の係合部に係合させた状態で前記保持部材の前記周壁部に接触もしくは近接して、前記保持部材の移動を抑制する係止部材を備えたことを特徴とする物品の包装容器。
【請求項２】
前記蓋部材は上方に向け断面積が減少する先細り形状をなし、内側に向けて係合部が膨出形成されていることを特徴とする請求項１の物品の包装容器
【請求項３】
前記蓋部材は透明樹脂材で形成されたことを特徴とする請求項１または２の物品の包装容器
【請求項４】
前記物品保持部材及び本体部材の平面投影形状は所定の幾何学形状とし、
前記蓋部材は開口部から上方の断面形状を前記所定の幾何学形状とした下部壁部と、所定個所より上方に配置され断面形状を前記所定の幾何学形状とは異なる幾何学形状とした上部壁部と、前記所定個所で両壁部を連結する水平連結面部を備え、該水平面連結部を係合部としたことを特徴とする請求項１ないし３のいずれかの物品の包装容器。
【請求項５】
前記所定の幾何学形状を略正方形状とし、前記所定の幾何学形状とは異なる幾何学形状を略八角形としたことを特徴とする請求項４の物品の包装容器。
【請求項６】
前記蓋部材には、複数の蓋部材を重ね合わせ可能に形成し、重なり合う蓋部材を離間させる突出部材を備えたことを特徴とする請求項１ないし５のいずれかの物品の包装容器。
【請求項７】
前記本体部材には、複数の本体材を重ね合わせ可能に形成し、重なり合う本体部材を離間させる突出部材を備えたことを特徴とする請求項１ないし６のいずれかの物品の包装容器。
【請求項８】
前記本体部材の前記保持凹部の周縁には、前記物品保持部材と間に隙間を備えた膨出部を形成したことを特徴とする請求項１ないし７のいずれかの物品の包装容器。
【請求項９】
前記蓋部材と、前記本体部材との間には外気との連通部を形成したことを特徴とする請求項１ないし８のいずれかの物品の包装容器。
【請求項１０】
前記物品保持部材の外側面を含む表面に色彩を付し、または標章を付したことを特徴とする請求項１ないし９のいずれかの物品の包装容器。
【請求項１１】
物品は洋菓子、和菓子を含む食品であることを特徴とする請求項１ないし１０のいずれかの物品の包装容器。
【考案の詳細な説明】
【技術分野】
【０００１】
本考案は物品の包装容器に係り、特に物品をその内部に保持する物品保持部材と、物品の周囲及び上方を被う蓋部材と、前記蓋部材物品保持部材を保持するとともに前記蓋部材が取り付けられる本体部材とを備えた物品の包装容器に関する。
【背景技術】
【０００２】
物品の包装容器として、様々なタイプや大きさのものが提案されている。近年コンビニエンスストアなどの店舗で食品、特に菓子、ケーキなどの商品を１個ずつ内部が観察可能な包装容器に収納した状態で展示、販売されることがある。このような包装容器は、透明部分を備えて内部の商品が需用者に確認できる状態となっている必要があるほか、容易に商品を取り出すことができ、さらに移送に際して収納された商品が破損しないよう構成されることが望ましい。このような、包装容器を使用すれば、製造工場から包装容器に格納された商品がトラックなどで店舗へ輸送され、そのまま店頭のショーケースなどに陳列され、需要者にあっては、内部に収容される商品の状態を視認した上で購入することができる。
【０００３】
このような、包装容器は通常菓子等の載置用トレイ（本体部材）と透明カバー（蓋部材）とを有して構成されていることが通例である。またこのような包装容器として、特許文献１に記載のものがある。これは、個別に形成された１個のケーキケーキを収納する中容器と、この中容器を支持する台座と、この台座に嵌合されて中容器とともにケーキケーキの全体を覆う透明な外容器からなるケーキ収納用容器を備えて、中容器の底面に、台座に形成した係合部に係合する係合突起を形成するとともに、この中容器の側壁に外方へ突出する突出部を形成し、台座の外周の一部に、外容器の下部に形成した第一係止部が係止される第二係止部を形成するとともに、係合部に対向する部分に中容器の一部を支持する支持部を形成したものである。
【特許文献１】実開平６−２７６６２号公報
【考案の開示】
【考案が解決しようとする課題】
【０００４】
しかし、上記従来の包装容器にあっては、需用者が購入してきた包装容器入りの菓子等を包装容器の透明カバーを取り外した状態、即ちトレイに載せたまま配膳すると見栄えが良くないという問題がある。通常このような包装容器のトレイには菓子等が容器内で移動しないよう凹みや突起が形成されており見栄えが良好でないほか、需用者がトレイから菓子等の形状を保ったまま取り出すが難しいからである。
【０００５】
本考案は上述した不具合に鑑みてなされたものであり、内部に収容する菓子等の物品を見栄え良く形成した物品保持部材を構成する部材に載置したまま容易に取り出しそのまま見栄え良く提供できるようにするとともに、輸送中や運搬中に物品の形態を崩すことなく商品価値を保持することができる物品の包装容器を提供することを目的とする。
【課題を解決するための手段】
【０００６】
請求項１の考案は、底壁部及び底壁部の周囲から上方に向け立ち上がる周壁部を備え塊状の物品をその内部に保持する物品保持部材と、前記保持部材に載置した物品の周囲及び上方を被い、下方に前記保持部材の平面投影形状より大きい開口部を形成した蓋部材と、前記物品保持部材を保持する保持凹部と、該保持凹部の外側に形成され上記蓋部材の開口部に係合する係合部とを備えた本体部材とを備え、前記蓋部材の内側には、前記本体部材の保持凹部に嵌め込まれた前記蓋部材の開口を前記底部材の係合部に係合させた状態で前記保持部材の前記周壁部に接触もしくは近接して、前記保持部材の移動を抑制する係止部材を備えた。
【０００７】
請求項２の考案は、請求湖１の物品の包装容器において、前記蓋部材は上方に向け断面積が減少する先細り形状をなし、内側に向けて係合部が膨出形成されていることを特徴とする。
【０００８】
請求項３の考案は、する請求項１または２の物品の包装容器において、前記蓋部材は透明樹脂材で形成されたことを特徴とする。
【０００９】
請求項４の考案は、請求項１ないし３のいずれかの物品の包装容器において、前記物品保持部材及び本体部材の平面投影形状は所定の幾何学形状とし、前記蓋部材は開口部から上方の断面形状を前記所定の幾何学形状とした下部壁部と、所定個所より上方に配置され断面形状を前記所定の幾何学形状とは異なる幾何学形状とした上部壁部と、前記所定個所で両壁部を連結する水平連結面部を備え、該水平面連結部を係合部としたことを特徴とする。
【００１０】
請求項５の考案は、請求項４の物品の包装容器において、前記所定の幾何学形状を略正方形状とし、前記所定の幾何学形状とは異なる幾何学形状を略八角形としたことを特徴とする。
【００１１】
請求項６の考案は、請求項１ないし５のいずれかの物品の包装容器において、前記蓋部材には、複数の蓋部材を重ね合わせ可能に形成し、重なり合う蓋部材を離間させる突出部材を備えたことを特徴とする。
【００１２】
請求項７の考案は、請求項１ないし６のいずれかの物品の包装容器において、前記本体部材には、複数の本体材を重ね合わせ可能に形成し、重なり合う本体部材を離間させる突出部材を備えたことを特徴とする。
【００１３】
請求項８の考案は、請求項１ないし７のいずれかの物品の包装容器において、前記本体部材の前記保持凹部の周縁には、前記物品保持部材と間に隙間を備えた膨出部を形成したことを特徴とする。
【００１４】
請求項９の考案は、請求項１ないし８のいずれかの物品の包装容器において、前記蓋部材と、前記本体部材との間には外気との連通部を形成したことを特徴とする。
【００１５】
請求項１０の考案は、請求項１ないし９のいずれかの物品の包装容器において、前記物品保持部材の外側面を含む表面に色彩を付し、または標章を付したことを特徴とする。
【００１６】
請求項１１の考案は、請求項１ないし１０のいずれかの物品の包装容器において、物品は菓子、ケーキ、生菓子を含む食品であることを特徴とする。
【考案の効果】
【００１７】
本考案は、内部に収容する菓子等の物品を見栄え良く形成した物品保持部材を構成する部材に載置したまま容易に取り出しそのまま見栄え良く提供することができるようにするとともに、輸送中や運搬中に物品の形態を崩すことなく商品価値を保持することができる。
【００１８】
即ち請求項１の考案によれば、物品は物品保持部材に載置したまま蓋部材及び底部材から取り外すことができ、物品は物品保持部材に載置下状態で見栄え良く提供できるほか、物品保持部材は、蓋部材の係合部に係合させた状態で保持部材の移動を抑制する係止部材に前記保持部材の前記周壁部に接触もしくは近接して保持され、移送中に物品の形態を崩すことがない。
【００１９】
請求項２の考案によれば、前記蓋部材は上方に向け断面積が減少する先細り形状トナしているから、蓋部材の成形行程において、離型を容易に行うことができるほか、蓋部材を積み重ねたとき一の蓋部材の内部に他の蓋部材が入り込み組立前における蓋部材の保管時に容積を小さなものとできる。
【００２０】
請求項３の考案によれば、前記蓋部材は透明樹脂材で形成されているから、包装容器内に配置された物品を外部から観察することができる。
【００２１】
請求項４の考案によれば、前記物品保持部材及び本体部材の平面投影形状は所定の幾何学形状とし、前記蓋部材は開口部から上方の断面形状を前記所定の幾何学形状とした下部壁部と、所定個所より上方に配置され断面形状を前記所定の幾何学形状とは異なる幾何学形状とした上部壁部と、前記所定個所で両壁部を連結する水平連結面部を備え、該水平面連結部を係合部としたから、係合部を内部に独立して突出形成せずに形成することができ、見栄えが向上するほか、蓋部の形成時に離型性が良好であり、型を分割する必要がない。
【００２２】
請求項５の考案によれば、前記所定の幾何学形状を略正方形状とし、前記所定の幾何学形状とは異なる幾何学形状を略八角形としたから、下部壁部と上部壁部とのうち４辺を連続面として形成でき、さらに、上部壁部のうち下部壁部に対して傾斜して形成される４辺に水平連結部を形成して下部壁部と連結して係合部を形成することができる。
【００２３】
請求項６の考案によれば、前記蓋部材は、複数の蓋部材を重ね合わせ可能であるほか、突出部材により重なり合う蓋部材を離間させるから、蓋部材を重ね合わせたとき蓋部材を一枚ずつ取り外しやすいものとできる。
【００２４】
請求項７の考案によれば、前記蓋部材は、複数の蓋部材を重ね合わせ可能とできるほか、突出部材により重なり合う蓋部材を離間させるから、蓋部材を重ね合わせたとき蓋部材を一枚ずつ取り外しやすいものとできる。
【００２５】
請求項８の考案によれば、前記本体部材の前記保持凹部の周縁には、前記物品保持部材と間に隙間を備えた膨出部を形成したから、物品保持部材を本体部材から取り外すに際して隙間に手指を差し入れることができ、本体部材から物品を載置した物品保持部材を容易に取り外すことができる。
【００２６】
請求項９の考案によれば、前記蓋部材と、前記本体部材との間には外気との連通部を形成したから、蓋部材と本体部材との組み立てに際して、内部に空気が密閉されることなくよういに蓋部材と本体部材を組み立てることができる。
【００２７】
請求項１０の考案によれば、物品保持部材に付した標章が蓋部材を通して表示されるほか、物品保持部材に物品を載置して取り出した状態でも標章を表示させることができる。
【００２８】
請求項１１の考案によれば、物品は洋菓子、和菓子を含む食品とすることができ、食品を破損することなく搬送でき、また、食品の外観を展示して販売でき、さらに、食品を物品保持部材に載置したまま容器から取り出し、見栄え良く配膳することができる。
【考案を実施するための最良の形態】
【００２９】
以下本考案を実施するための最良の形態を、図１ないし図８に基づいて説明する。図１は本考案の実施例に係る物品の包装容器の組み立て状態を示す正面図であり、（ａ）は分解図、（ｂ）は組み立て図、図２は本校案に係る物品の包装容器の物品保持部材を示す図であり、（ａ）は平面図、（ｂ）は正面図、図３は本校案に係る物品の包装容器の蓋部材を示す図であり、（ａ）は平面図、（ｂ）は正面図、（ｃ）は要部拡大図、（ｄ）は蓋部材を重ね合わせた状態を示す要部拡大図、図４は本校案に係る物品の包装容器の本体部材を示す図であり、（ａ）は平面図、（ｂ）は正面図、（ｃ）は要部拡大図、（ｄ）は空気抜き部を示す拡大図、（ｅ）は蓋部材を重ね合わせた状態を示す要部拡大図、図５は本考案の実施例に係る物品の包装容器の組み立て状態を示す斜視図、図６は本校案に係る物品の包装容器の物品保持部材を示す斜視図、図７は本校案に係る物品の包装容器の蓋部材を示す斜視図、図８は本校案に係る物品の包装容器の本体部材を示す斜視図である。
【００３０】
本例に係る物品の包装容器では、包装容器は物品として洋菓子及び和菓子を含む食品を対象とする。本例では、特にクリーム等で装飾され底辺の寸法より高さ寸法が大きい菓子５０を対象とする場合について説明する。
【００３１】
本例では包装容器１００は、図１及び図４に示すように、物品保持部材であるトレイ１０と、トレイ１０に載置された菓子５０を覆い開口縁部２１を備えた蓋部材であるカバー２０と、前記２０の開口縁部２１が係合される係合縁部３１及び前記トレイ１０が収納される保持凹部３２を備えた本体部材であるベース３０とからなる。
【００３２】
まずトレイ１０を図２及び図６に基づいて説明する。トレイ１０は、ポリスチレン（ＰＳ）樹脂で所定暑厚さに形成され、図２及び図５に示すように底壁部１１及びこの底壁部１１の上方に向け周囲から向け立ち上がる周壁部１２を一体に形成された深皿状の部材である。本例に係るトレイ１０は、菓子５０の下部とほぼ同一形状で、菓子５０がすっぽりと収納できる寸法及び形状をなす。即ち本例では底壁部１１は角部が丸められた正方形状をなし、周壁部１２は斜め外側に延設され、その先端にはフランジ部１３が形成されている。本例では、トレイ１０は外側面を例えばオレンジ色に、内側面を白色に形成され、適度名装飾が施されているから、菓子５０を載置したまま見栄え良くテーブル等に配膳することができる。また、このトレイ１０の外側面にはマーク、ロゴなどの標章を表示しておくと、この標章がカバー２０を通して表示されるほか、トレイ１０ごと菓子５０を取り出した状態でも標章を表示させることができる。ここで、標章とは、文字、記号、図形もしくはこれらの結合、またはこれらと色彩との結合をいう。
【００３３】
次にカバー２０の概略構成を図３及び図７に基づいて説明する。本例ではカバー２０は、透明ポリエチレンテレフタレート（ＰＥＴ）樹脂で形成され、図３（ａ）、（ｂ）に示すように、上記ベース３０に係合する開口縁部２１を備えて上方に向け断面積が減少する先細り形状に形成されている（図３（ｂ）では、カバー２０は図１に示した使用状態と上下逆方向に示している）。また、カバー２０は、上記トレイ１０に収納した菓子５０の周囲を覆う断面正方形状の下部壁部２２と、断面ほぼ８各家以上の上部壁部とからなり、上部壁部は前記下部壁部２２と連続する４面の幅広平面部２３と、前記下部壁部と水平連結部２４を挟んで配置される幅狭平面部２５とで構成されている。本例では、この水平連結部２４を係止部材として、前記ベース３０の保持凹部３２にトレイ１０を嵌め込まれの状態で、トレイ１０の前記周壁部１２の先端に接触もしくは近接し、前記保持部材の移動を抑制するものとしている。
【００３４】
本例において、開口縁部２１には、図２（ｃ）に示すように、上記ベース３０の係合縁部３１と係合する第１斜面２１ａ、係合凹部２１ｂ、第２斜面２１ｃ、係合凸部２１ｄ、弟３斜面２１ｅが形成されている。また、図３（ｄ）に示すように、カバー２０の収納時、カバー２０を重ね合わせたとき、上側のカバー２０の弟３斜面２１ｅが下側のカバー２０の第１斜面２１ａに当接し、２つのカバー２０の間に隙間２７を設け、両者を取り外しやすくしている。
【００３５】
次にベース３０の概略構成を図４及び図８に基づいて説明する。本例ではベース３０は、透明ポリエチレンテレフタレート（ＰＥＴ）樹脂で形成され、図４（ａ）、（ｂ）に示すように、その周囲には上記カバー２０の開口縁部２１に係合する係合縁部３１を備えて全体を角部に円弧部を形成したほぼ正方形状の板状部材として形成される。ベース３０の中央部には、前記トレイ１０を保持する保持凹部３２が平面ほぼ正方形状に凹設されている。この保持凹部３２の各辺には内側に向け、前記カバー２０に接触する接触凸部３３が２個所に設けられており、保持凹部３２にトレイ１０が保持されたとき、保持凹部３２の縁部とトレイ１０との間に隙間を形成するようにしている。
【００３６】
さらに、本例ではベース３０の係合縁部３１には、図４（ｃ）に示すように、上記開口縁部２１と係合する面部３１ａ、突起部３１ｂ、凹部３１ｃ、縦壁部３１ｄを備える。本例では、ベース３０の突起部３１ｂがカバー２０の係合凸部２１ｄに、同じく凹部３１ｃに係合凹部２１ｂが係合して、ベース３０上にカバー２０を嵌合させる。
【００３７】
また、本例では、保持凹部３２の一辺には、図４（ａ）、（ｄ）に示すように、溝部３５を形成して外気との連通部を形成している。このため、カバー２０とベース３０との組み立てに際して、内部に空気が密閉されることなく容易に蓋部材と本体部材を組み立てることができる。さらに本例では、保持凹部３２の各辺には、ベース３０収納時にカバー２０を重ね合わせたときに隙間３７を形成するための３４スタック止部が形成されている。このためベース３０の収納時、ベース３０を重ね合わせたとき、図４（ｅ）に示すように、重ね合わせたとき隙間３７が形成される。なお、図中符号３６は組み立てられた包装容器１００からカバー２０を取り外すときにベース３０を固定するためのつまみ部である。
【００３８】
従って本例に係る包装容器１００によれば、組立時においてはトレイ１０に菓子５０を載置し、この菓子５０を載置したトレイ１０をベース３０の保持凹部３２内に配置し、さらに上方からカバー２０を被せ、開口縁部２１と係合縁部３１とを係合させる。この状態で、水平連結部２４は、トレイ１０の周壁フランジ部１３に当接あるいは近接して、カバー２０とベース３０との間においてトレイ１０を固定する。また、菓子５０はトレイ１０ないに保持されているから、菓子５０は包装容器１００内で安定して保持され、菓子５０が損傷されることがない。
【００３９】
また、需用者は、購入した菓子５０入りの包装容器１００のカバー２０をベース３０から取り外し、さらに菓子５０をトレイ１０にのせたまま取り出し配膳することができる。この際本例ではトレイ１０は適度の装飾が施されているから見栄えの良くいものとすることができる。また、このトレイ１０の外側面にはマーク、ロゴなどの標章を表示しておくとトレイ１０ごと菓子５０を取り出した状態でもトレイに標章を表示させることができる。
【００４０】
なお、本考案において、物品保持部材、蓋部材、本体部の各部材の形状は上記例に限られることなく適宜変更できる。また、包装容器を構成する、物品保持部材、蓋部材、本体部の各断面形状は上記例に限られることなく、例えば断面円形、楕円形、他の多角形、その他の閉曲線形状のように適宜変更できる。
【００４１】
また、上記例では、包装容器に収納する物品を菓子としたが、他の食品、装飾品その他食品以外の物品を包装することができることはもちろんである。
【図面の簡単な説明】
【００４２】
【図１】本考案の実施例に係る物品の包装容器の組立状態を示す正面図であり、（ａ）は分解図、（ｂ）は組立図である。
【図２】本校案に係る物品の包装容器の物品保持部材を示す図であり、（ａ）は平面図、（ｂ）は正面図である。
【図３】本校案に係る物品の包装容器の蓋部材を示す図であり、（ａ）は平面図、（ｂ）は正面図、（ｃ）は要部拡大図、（ｄ）は蓋部材を重ね合わせた状態を示す要部拡大図である。
【図４】本校案に係る物品の包装容器の本体部材を示す図であり、（ａ）は平面図、（ｂ）は正面図、（ｃ）は要部拡大図、（ｄ）は空気抜き部を示す拡大図、（ｅ）は蓋部材を重ね合わせた状態を示す要部拡大図である。
【図５】本考案の実施例に係る物品の包装容器の組立状態を示す斜視図である。
【図６】本校案に係る物品の包装容器の物品保持部材を示す斜視図である。
【図７】本校案に係る物品の包装容器の蓋部材を示す斜視図である。
【図８】本校案に係る物品の包装容器の本体部材を示す斜視図である。
【符号の説明】
【００４３】
１０  トレイ（物品保持部）
１１  底壁部
１２  周壁部
１３  フランジ部
２０  カバー（蓋部材）
２１  開口縁部
２１ａ  第１斜面
２１ｂ  係合凹部
２１ｃ  第２斜面
２１ｄ  係合凸部
２１ｅ  弟３斜面
２２  下部壁部
２３  幅広平面部
２４  水平連結部
２５  幅狭平面部
２７  隙間
３０  ベース（本体部）
３１  係合縁部
３１ａ  面部
３１ｂ  突起部
３１ｃ  凹部
３１ｄ  縦壁部
３２  保持凹部
３３  接触凸部
３５  溝部
３６  つまみ部
３７  隙間
５０  菓子
１００  包装容器
２７  隙間
３７  隙間
【図１】
0003108182.tif 000003
【図２】
0003108182.tif 000004
【図３】
0003108182.tif 000005
【図４】
0003108182.tif 000006
【図５】
0003108182.tif 000007
【図６】
0003108182.tif 000008
【図７】
0003108182.tif 000009
【図８】
0003108182.tif 000010